(57)【要約】【課題】複数種類の釣竿に共通して用いることができる釣竿の保護カバーを提供する。【解決手段】複数の竿杆１０１を振出し式に連結してなる釣竿の先端部に装着される釣竿の保護カバー１であって、複数の竿杆１０１が収納された状態で、少なくとも穂先Ｈ側の小径竿杆１０１を収容する筒状カバー部１０と、元竿１００側に取り付ける取付部２０と、を備え、筒状カバー部１０の先端から取付部２０の後端までの長さＬ１、Ｌ２を調節可能にしたことを特徴とする。【選択図】図１
2010233554.tif 000002
【特許請求の範囲】
【請求項１】
複数の竿杆を振出し式に連結してなる釣竿の先端部に装着される釣竿の保護カバーであって、
前記複数の竿杆が収納された状態で、少なくとも穂先側の小径竿杆を収容する筒状カバー部と、
元竿側に取り付ける取付部と、を備え、
前記筒状カバー部の先端から前記取付部の後端までの長さを調節可能にしたことを特徴とする釣竿の保護カバー。
【請求項２】
前記筒状カバー部と前記取付部とは、互いに別体に設けられ、前記竿杆の軸方向における両者間の間隔を連結手段を介して調整可能に連結されていることを特徴とする請求項１に記載の釣竿の保護カバー。
【請求項３】
前記連結手段は、前記竿杆の軸方向に伸縮自在な伸縮部材を備えて構成されることを特徴とする請求項２に記載の釣竿の保護カバー。
【請求項４】
前記連結手段は、前記筒状カバー部および前記取付部の一方から他方へ向けて延びる延設部と、前記他方に設けられ、前記延設部に着脱可能に係止される係止部とを備えて構成されていることを特徴とする請求項２に記載の釣竿の保護カバー。
【請求項５】
前記連結手段は、前記筒状カバー部と前記取付部との間に介設される単数または複数の筒状部材を備えて構成されていることを特徴とする請求項２に記載の釣竿の保護カバー。
【発明の詳細な説明】
【技術分野】
【０００１】
本発明は、複数の竿杆を振出し式に連結してなる釣竿の先端部に装着される釣竿の保護カバーに関する。
【背景技術】
【０００２】
一般的に、振出し式の釣竿は、元竿側の竿杆内に穂先側の竿杆が順に収納されて構成されており、使用時には、元竿側の竿杆内から穂先側の竿杆を順に引き出して延ばす操作を行うことで、１本に連結された釣竿としている。
そして、収納時には、穂先側の竿杆を元竿側に順次収納してコンパクトな状態にし、釣竿の先端部である穂先側に、釣竿の保護カバー（以下、単に保護カバーと称するときがある）を装着している。
【０００３】
従来の保護カバーは、一般的に、有底筒状のカバー本体と、このカバー本体を元竿側の竿杆に固定するためのバンドとを有している（例えば、特許文献１参照）。
このような保護カバーを穂先側に装着してバンドで元竿側の竿杆に固定することにより、元竿側に収納した竿杆が穂先側に飛び出してしまうのを防止することができ、また、穂先側の竿杆が傷付くのを防止することができる。
【先行技術文献】
【特許文献】
【０００４】
【特許文献１】実開昭６２−１３０４７０号公報
【発明の概要】
【発明が解決しようとする課題】
【０００５】
ところで、振出し式の釣竿では、その種類によって大きさの異なる釣糸ガイドが使用されている。例えば、図７（ａ）（ｂ）に示すように、釣竿Ｒ２で使用されている釣糸ガイド１２４は、これと種類の異なる釣竿Ｒ１で使用されている釣糸ガイド１２３よりも大型となっている。このような、大型の釣糸ガイド１２４では、円環部Ｇ３を支持する脚部Ｇ２に折曲部Ｇ４が形成されており、この折曲部Ｇ４に巻糸等を施して竿杆１０１に固定していた。
【０００６】
したがって、このような大型の釣糸ガイド１２４を用いた釣竿Ｒ２では、竿杆１０１の先端部に、巻糸等によって太径とされた太径部１１０が形成される。この太径部１１０は大径であるので、収納時においても竿杆１０１内等には収納されず、竿杆１０１等の先端部に露出した状態で位置する。
これにより、収納時の釣竿Ｒ１および釣竿Ｒ２の収納形態を比較すると、釣竿Ｒ２においては、穂先Ｈから元竿１００の先端部までの長さＬ２が、釣竿Ｒ１の相当する長さＬ１に比べて大きくなっていた。したがって、装着される保護カバーＣ２の大きさも釣竿Ｒ１用の保護カバーＣ１に比べて大きく嵩張るという問題があった。
【０００７】
また、釣竿（例えばＲ１、Ｒ２）の種類に応じて保護カバー（例えばＣ１、Ｃ２）を複数種類用意する必要があるなど、コストアップとなっていた。
【０００８】
本発明は、前記諸問題を解決するためになされたものであり、穂先から元竿の先端部までの長さが異なる複数種類の振出し式の釣竿に共通して用いることができる釣竿の保護カバーを提供することを課題とする。
【課題を解決するための手段】
【０００９】
このような課題を解決する本発明の釣竿の保護カバーは、複数の竿杆を振出し式に連結してなる釣竿の先端部に装着される釣竿の保護カバーであって、前記複数の竿杆が収納された状態で、少なくとも穂先側の小径竿杆を収容する筒状カバー部と、元竿側に取り付ける取付部と、を備え、前記筒状カバー部の先端から前記取付部の後端までの長さを調節可能にしたことを特徴とする。
ここで、筒状カバー部の先端から取付部の後端までの長さとは、穂先に筒状カバー部を被せた状態で、元竿側に取付部を位置させることのできる長さ（全長）である。
【００１０】
この釣竿の保護カバーによれば、筒状カバー部の先端から取付部の後端までの長さを調節可能にしたので、装着する釣竿の穂先から元竿の先端部までの長さに対応するように長さを調節することができ、穂先に筒状カバー部を被せた状態で、元竿側に取付部を位置させることができる。
【００１１】
また、本発明は、前記筒状カバー部と前記取付部とは、互いに別体に設けられ、前記竿杆の軸方向における両者間の間隔を連結手段を介して調整可能に連結されている構成とするのがよい。
【００１２】
この釣竿の保護カバーによれば、連結手段によって、別体に設けられた筒状カバー部と取付部との間隔を調整することができるので、穂先から元竿の先端部までの長さに対応するように長さを調節することができ、穂先に筒状カバー部を被せた状態で、元竿側に取付部を位置させることができる。
【００１３】
また、本発明は、前記連結手段が、前記竿杆の軸方向に伸縮自在な伸縮部材を備えて構成されるのがよい。
【００１４】
この釣竿の保護カバーによれば、伸縮部材によって筒状カバー部と取付部との間隔を容易に調整することができ、筒状カバー部の先端から取付部の後端までの長さ調節を簡単に行うことができる。
【００１５】
また、本発明は、前記連結手段が、前記筒状カバー部および前記取付部の一方から他方へ向けて延びる延設部と、前記他方に設けられ、前記延設部に着脱可能に係止される係止部とを備えて構成されているのがよい。
【００１６】
この釣竿の保護カバーによれば、延設部に対して係止部が着脱可能に係止されるようになっているので、穂先から元竿の先端部までの長さに対応するように延設部と係止部とを係止させることで長さを容易に調節することができる。
【００１７】
また、本発明は、前記連結手段が、前記筒状カバー部と前記取付部との間に介設される単数または複数の筒状部材を備えて構成されているのがよい。
【００１８】
この釣竿の保護カバーによれば、筒状カバー部と取付部との間に単数または複数の筒状部材を介設することで、穂先から元竿の先端部までの長さに対応するように、長さを容易に調節することができる。
【発明の効果】
【００１９】
本発明によれば、筒状カバー部の先端から取付部の後端までの長さを調節可能にしたので、穂先から元竿の先端部までの長さが釣竿の種類によって異なる場合でも、その長さに対応するように長さを調節して釣竿に装着することができる。また、保護カバーの全長を短くすることができ、小型化が可能となる。
したがって、穂先から元竿の先端部までの長さが異なる複数種類の釣竿に共通して用いることのできる釣竿の保護カバーが得られる。
また、釣竿の種類に応じて、保護カバーを数種類用意する必要がないので、コストを低減することができ、製造管理も簡略になる。
また、筒状カバー部の先端から取付部の後端までの長さを調節可能にしたので、不使用時には、長さを調節してコンパクトにすることができ、従来のように大きく嵩張ることもない。
【００２０】
また、本発明によれば、連結手段によって、筒状カバー部と取付部との間隔を調整することができるので、穂先から元竿の先端部までの長さが釣竿の種類によって異なる場合でも、その長さに対応するように長さを調節して釣竿に装着することができる。また、保護カバーの全長を短くすることができ、小型化が可能となる。
したがって、穂先から元竿の先端部までの長さが異なる複数種類の釣竿に共通して用いることのできる釣竿の保護カバーが得られる。
【００２１】
また、本発明によれば、伸縮部材によって筒状カバー部と取付部とが連結されているので、両者間の間隔の調節が行い易く、装着性に優れた釣竿の保護カバーが得られる。
【００２２】
また、本発明によれば、延設部に対して係止部が着脱可能に係止されるようになっているので、筒状カバー部と取付部との連結および連結の解除が容易であり、筒状カバー部と取付部との間隔の調節が行い易く、装着性に優れた釣竿の保護カバーが得られる。
また、不使用時にコンパクトな長さに調節する際の操作も容易であるという利点も得られる。
【００２３】
また、本発明によれば、筒状カバー部と取付部との間に円筒状部材を介設することで筒状カバーと取付部との間隔を簡単に調整することができる。また、例えば、複数の円筒状部材を組み合わせることにより、長さ調節のバリエーションが多くなるという利点も得られる。
また、不使用時には、筒状カバー部と取付部との間から円筒状部材を外すことにより、長さを簡単に短く調節することができ、コンパクト化が容易である。
【図面の簡単な説明】
【００２４】
【図１】本発明の第１実施形態に係る釣竿の保護カバーとこれを装着する釣竿とを示す斜視図である。
【図２】（ａ）（ｂ）は第１実施形態の釣竿の保護カバーの使用態様を示す斜視図である。
【図３】本発明の第２実施形態に係る釣竿の保護カバーを示す図であり、（ａ）は分解斜視図、（ｂ）は筒状カバー部の先端から取付部の後端までの長さを短くした状態を示す斜視図、（ｃ）は筒状カバー部の先端から取付部の後端までの長さを長くした状態を示す斜視図である。
【図４】本発明の第３実施形態に係る釣竿の保護カバーを示す図であり、（ａ）は分解斜視図、（ｂ）は筒状カバー部の先端から取付部の後端までの長さを短くした状態を示す斜視図、（ｃ）は筒状カバー部の先端から取付部の後端までの長さを長くした状態を示す斜視図である。
【図５】本発明の第４実施形態に係る釣竿の保護カバーを示す図であり、（ａ）は筒状カバー部の先端から取付部の後端までの長さを短くした状態を示す斜視図、（ｂ）は筒状カバー部の先端から取付部の後端までの長さを長くした状態を示す斜視図である。
【図６】（ａ）（ｂ）は変形例に係る釣竿の保護カバーを示す分解斜視図である。
【図７】（ａ）（ｂ）は従来技術の説明図である。
【発明を実施するための形態】
【００２５】
以下、本発明に係る釣竿の保護カバーの実施の形態について図面を参照しながら説明する。各実施形態において、同一の部分には同一の符号を付し、重複する説明は省略する。
なお、以下の説明において、「前」側は、竿先側（穂先側）を言い、「後」側は、元竿側を言う。また、本発明に係る釣竿の保護カバーは、複数の竿杆を振出し式に連結してなる釣竿に適用されるものであり、例えば、投げ、磯、船、ルアーなど様々な種類の釣竿に適用可能である。
【００２６】
（第１実施形態）
図１に示すように、釣竿の保護カバー１は、複数の竿杆１０１が収納された状態で少なくとも穂先Ｈ側の小径竿杆１０１を収容する筒状カバー部１０と、この筒状カバー部１０とは別体に設けられ、元竿１００側に取り付けられる取付部として機能する取付バンド２０と、筒状カバー部１０と取付バンド２０とを連結する連結手段としての弾性紐３０とを備えて構成されている。
【００２７】
筒状カバー部１０は、有底円筒状を呈しており、合成樹脂材、例えば、ポリアミド、ポリカーボネート、ポリウレタン、ポリ塩化ビニル等で形成されている。筒状カバー部１０の底部内側には、図２（ａ）（ｂ）に示すように、穂先Ｈ側を収容したときに穂先Ｈに軟らかく当接する軟質部材１２が配置されている。
【００２８】
筒状カバー部１０の周壁には、竿杆１０１の軸方向に沿うようにして溝部１３が形成されている。この溝部１３は、筒状カバー部１０の径方向（竿杆１０１の径方向）に間隔Ｄ１を隔てて形成されており、図２（ａ）（ｂ）に示すように、筒状カバー部１０で穂先Ｈ側を収容したときに、釣竿Ｒ１等に設けられた釣糸ガイド１２１（１２３、１２４等）を径方向から保持する役割をなす。したがって、筒状カバー部１０で穂先Ｈ側を収容すると、釣糸ガイド１２１（１２３、１２４等）は、溝部１３によって径方向の回動が規制された状態に保持されることとなる。
【００２９】
取付バンド２０は、元竿１００の例えば先端部（前端部）に対して巻き付けられて取り付けられる部材であり、合成樹脂材や、天然ゴム、合成ゴム等の弾性材料で形成されている。
取付バンド２０の一端部には、金属材や合成樹脂材等で形成された突起部２１が設けられ、また、取付バンド２０の他端部には、取付バンド２０の長手方向に沿って複数の取付孔２２が形成されている。
このような取付バンド２０は、図２（ａ）（ｂ）に示すように、突起部２１に所定の取付孔２２を掛け止めて、元竿１００の前端部に巻き付けられるようにして取り付けられる。
【００３０】
弾性紐３０は、前記したように筒状カバー部１０と取付バンド２０とを連結する部材であり、本実施形態では、伸縮自在な材料、例えば、天然ゴムや合成ゴム等の弾性材料からなる。弾性紐３０は、筒状カバー部１０と取付バンド２０との間に掛け渡されており、前端部が筒状カバー部１０の後部に設けられた挿通孔１４に挿通されて固定され、後端部が取付バンド２０の前部に設けられた挿通孔２３に挿通されて固定されている。
そして、弾性紐３０は、図２に示すように、保護カバー１を釣竿Ｒ１、Ｒ２に装着した状態で、筒状カバー部１０と取付バンド２０との間隔が短くなる方向に付勢するようになっている。つまり、筒状カバー部１０は、元竿１００側に付勢されており、穂先Ｈ側から外れ難くなっている。また、元竿１００から穂先Ｈ側の竿杆１０１をガタつきなく保持することができる。
【００３１】
なお、弾性紐３０は、筒状カバー部１０と取付バンド２０との間に一対（２本）掛け渡した例を示したが、これに限られることはなく、１本や３本以上としてもよい。また、弾性紐３０は、径方向に幅広に形成して、筒状カバー部１０と取付バンド２０との間において、穂先Ｈ側の小径竿杆１０１や釣糸ガイド１２４を部分的あるいは全体的に（溝部１３の軸方向延長上にあたる領域を除いて）覆うように構成してもよい。
【００３２】
このような釣竿の保護カバー１は、図２（ａ）（ｂ）に示すように、筒状カバー部１０を穂先Ｈ側に被せ、取付バンド２０を元竿１００の前端部に取り付けて釣竿Ｒ１、Ｒ２に装着される。
ここで、図２（ａ）に示すように、比較的小型の釣糸ガイド１２３を有する釣竿Ｒ１においては、竿杆１０１の前端部に巻糸等によって太径とされた太径部１１０（図２（ｂ）参照）が形成されていないので、収納時には、穂先Ｈから元竿１００の先端部までの長さＬ１が比較的短いものとなり、保護カバー１もこの長さＬ１に対応した長さに弾性紐３０が伸長して、長さ調整された状態で装着される。
また、図２（ｂ）に示すように、比較的大型の釣糸ガイド１２４を有する釣竿Ｒ２においては、竿杆１０１の前端部に太径部１１０が形成されているので、収納時には、穂先Ｈから元竿１００の先端部までの長さＬ２が比較的長いものとなり、保護カバー１もこの長さＬ２に対応した長さに弾性紐３０が伸長して、長さ調整された状態で装着される。
【００３３】
以上説明した本実施形態の釣竿の保護カバー１によれば、筒状カバー部１０の先端から取付バンド２０の後端までの長さを調節可能にしたので、装着する釣竿Ｒ１、Ｒ２の穂先Ｈから元竿１００の先端部までの長さ（例えばＬ１、Ｌ２）に対応するように長さを調節することができ、穂先Ｈに筒状カバー部１０を被せた状態で、元竿１００側に取付バンド２０を位置させることができる。これによって、穂先Ｈから元竿１００の先端部までの長さが釣竿（例えば釣竿Ｒ１、Ｒ２）の種類によって異なる場合でも、その長さに対応するように長さを調節して釣竿Ｒ１、Ｒ２に装着することができる。
【００３４】
したがって、穂先Ｈから元竿１００の先端部までの長さが異なる複数種類の釣竿（例えば釣竿Ｒ１、Ｒ２）に共通して用いることのできる釣竿の保護カバー１が得られる。
また、このように複数種類の釣竿（例えば釣竿Ｒ１、Ｒ２）に装着できる構成でありながら、保護カバー１の全長（筒状カバー部１０の先端から取付バンド２０の後端までの長さ）を短くすることができ、保護カバー１の小型化が可能である。
また、釣竿の種類に応じて、保護カバーを数種類用意する必要がないので、コストを低減することができ、製造管理も簡略になる。
また、筒状カバー部１０の先端から取付バンド２０の後端までの長さを調節可能にしたので、不使用時には、長さを調節してコンパクトにすることができ、従来のように大きく嵩張ることもない。
【００３５】
また、筒状カバー部１０と取付バンド２０とは、互いに別体に設けられ、竿杆１０１の軸方向における両者間の間隔を弾性紐３０を介して調整可能に連結されているので、調整が行い易く、装着性に優れた釣竿の保護カバー１が得られる。
なお、装着時には、先に元竿１００の前端部に取付バンド２０を取り付けておいてから、筒状カバー部１０を穂先Ｈに被せて収容するようにしてもよい。この場合にも、弾性紐３０が好適に伸張、収縮して筒状カバー部１０と取付バンド２０との長さが好適に調整される。
【００３６】
（第２実施形態）
第２実施形態の釣竿の保護カバー１Ａは、図３（ａ）に示すように、筒状カバー部１０Ａと取付部２０Ａとが互いに別体とされている点に変わりはないが、連結手段３０Ａが、筒状カバー部１０Ａから取付部２０Ａへ向けて延びる延設部３１と、取付部２０Ａに設けられ、延設部３１が着脱可能に係止される係止部３２とを備えて構成されている点が異なる。
【００３７】
延設部３１は、筒状カバー部１０の後端部の上部から後方（取付部２０Ａ）へ向けて一体的に延設された片からなり、本実施形態では、筒状カバー部１０の溝部１３に沿いつつ、溝部１３の間隔Ｄ１を維持して一対形成されている。
延設部３１の下面には、竿杆１０１（図２（ａ）等参照、以下同じ）の軸方向に沿って所定の間隔で長さ調節用の凸部３１ａが（３個）形成されている。
【００３８】
一方、取付部２０Ａは、元竿１００（図２（ａ）等参照、以下同じ）の前端部を周方向に包むように装着可能なＣ字形状の本体２４と、この本体２４に取り付けられたバンド２５とを有している。
【００３９】
本体２４は、合成樹脂材、例えば、ポリアミド、ポリカーボネート、ポリウレタン、ポリ塩化ビニル等で形成されている。本体２４の周方向両端部には、連結手段３０Ａを構成する係止部３２が形成されている。係止部３２は、一段低く形成された段状の部分に凸部３１ａに対応する係合孔３２ａが（３個）形成されてなり、段状の部分に、筒状カバー部１０側の延設部３１が位置して、その係合孔３２ａに凸部３１ａが着脱可能に係合するようになっている。
なお、延設部３１の長さや凸部３１ａの数、本体２４の軸方向の大きさや係合孔３２ａの数は、長さ調節可能にこれらが係止されて筒状カバー部１０Ａと取付部２０Ａとが連結される関係を有していればよく、任意に設定することができる。
【００４０】
バンド２５は、合成樹脂材や、天然ゴム、合成ゴム等の弾性材料で形成されている。バンド２５は、本体２４の外周面に沿って周方向に配置されており、その一端部に設けられた突起部２１で本体２４に固定されている。
【００４１】
このような釣竿の保護カバー１Ａは、図３（ｂ）に示すように、筒状カバー部１０Ａのすぐ後方に取付部２０Ａを位置させ、延設部３１の３個の凸部３１ａを係止部３２の３個の係合孔３２ａにそれぞれ係合することによって、保護カバー１Ａの長さが短くなるように（長さＬ１に）調節することができる。
なお、本実施形態の釣竿の保護カバー１Ａでは、長さ調節後に、取付部２０Ａをバンド２５で固定する際、本体２４の突起部２１にバンド２５の所定の取付孔２２を掛け止めると、延設部３１と係止部３２との係合部分がバンド２５で部分的に覆われることとなり、かつ、凸部３１ａと係合孔３２ａとの係合を保持する方向にバンド２５が抑える状態となるので、バンド２５の係止後は、延設部３１と係止部３２との係止が好適に維持されてこれらが外れ難くなっている。
【００４２】
また、図３（ｃ）に示すように、延設部３１の後部側に取付部２０Ａを配置して、延設部３１の後端の凸部３１ａを係止部３２の前端の係合孔３２ａに係合することによって、保護カバー１Ａの長さが長くなるように（長さＬ２に）調節することができる。
【００４３】
本実施形態の釣竿の保護カバー１Ａによれば、延設部３１に対して係止部３２が着脱可能に係止されるようになっているので、筒状カバー部１０Ａと取付部２０Ａとの連結および連結の解除が容易であり、筒状カバー部１０Ａと取付部２０Ａとの間隔の調節（例えば、複数種類の釣竿Ｒ１、Ｒ２（図２参照）に合わせて長さＬ１、Ｌ２等とする調節）が行い易く、装着性に優れている。
また、このように複数種類の釣竿（例えば釣竿Ｒ１、Ｒ２）に装着できる構成でありながら、保護カバー１Ａの全長（筒状カバー部１０Ａの先端から取付部２０Ａの後端までの長さ）を短くすることができ、保護カバー１Ａの小型化が可能である。
また、延設部３１に対して係止部３２が係止されて保護カバー１Ａの全長が変化しないように固定されるので、穂先Ｈ側が外部から衝撃を受けた際に、竿杆１０１（図２参照）への衝撃がかかり難い。
また、不使用時にコンパクトな長さに調節する際の操作も容易であるという利点も得られる。
【００４４】
なお、図６（ａ）に示す釣竿の保護カバー１Ａ’ように、取付部２０Ａ’側に延設部３１’を設けて、筒状カバー部１０Ａ’側に係止部３２’を設けてもよい。
さらに、凸部３１ａは、延設部３１（３１’）の下面に設けたが、これに限られることはなく、延設部３１（３１’）の上面に設けるとともに、これに対応する段部を係止部３２（３２’）に設けて係合が行われるように構成してもよい。
また、延設部３１は一対設けたが、１つでもよい。
【００４５】
（第３実施形態）
第３実施形態の釣竿の保護カバー１Ｂは、図４（ａ）に示すように、筒状カバー部１０Ｂと取付部２０Ｂとが互いに別体とされている点に変わりはないが、連結手段３０Ｂが、筒状カバー部１０Ｂの後端部に形成された円環状の突縁部３３と、取付部２０Ｂに設けられ、突縁部３３が着脱可能に係止される円環状の溝３４とを備えて構成されている点が異なる。
【００４６】
突縁部３３は、筒状カバー部１０Ｂの後端外周縁に円環状に突設されて形成されている。なお、突縁部３３は、周方向に間隔を隔てた複数の突部から構成してもよい。この場合には、これに対応するように円環状の溝３４を形成してもよい。このように形成することで、筒状カバー部１０Ｂと取付部２０Ｂとを連結すると、これらが互いに周方向に回動することが規制され、良好な保持状態が維持されるようになる。
【００４７】
円環状の溝３４は、取付部２０Ｂの本体２４ｂの内面２６に形成されている。本実施形態では、本体２４ｂの軸方向に所定の間隔を置いて円環状の溝３４を複数（計３つ）形成している。なお、円環状の溝３４の数は、任意に設定することができる。
【００４８】
このような釣竿の保護カバー１Ｂは、図４（ｂ）に示すように、円環状の溝３４のうち、後端側に形成されている溝３４に対して突縁部３３を係合させることによって、保護カバー１Ｂの長さが短くなるように調節することができる。
なお、本実施形態の釣竿の保護カバー１Ｂでは、長さ調節後に、取付部２０Ｂをバンド２５で固定する際に、本体２４ｂの突起部２１にバンド２５の所定の取付孔２２を掛け止めると、突縁部３３と円環状の溝３４との係合を保持する方向にバンド２５が抑えることとなるので、バンド２５の係止後は、これらの係合が好適に維持されて筒状カバー部１０Ｂと取付部２０Ｂとが外れ難くなっている。
【００４９】
また、図４（ｃ）に示すように、円環状の溝３４のうち、前端側に形成されている溝３４に対して突縁部３３を係合させることによって、保護カバー１Ｂの長さが長くなるように調節することができる。
なお、この場合にも、バンド２５の係止後は、突縁部３３と円環状の溝３４との係合が好適に維持されて外れ難くなっている。
【００５０】
本実施形態の釣竿の保護カバー１Ｂによれば、突縁部３３と円環状の溝３４とが係脱可能に係合されるようになっているので、筒状カバー部１０Ｂと取付部２０Ｂとの連結および連結の解除が容易であり、筒状カバー部１０Ｂと取付部２０Ｂとの間隔の調節（例えば、複数種類の釣竿Ｒ１、Ｒ２（図２参照）に合わせて長さＬ１、Ｌ２とする調節）が行い易く、装着性に優れた釣竿の保護カバー１Ｂが得られる。
【００５１】
また、保護カバー１Ｂの全長（筒状カバー部１０Ｂの先端から取付部２０Ｂの後端までの長さ）を短くすることができ、保護カバー１Ｂの小型化が可能である。
【００５２】
また、筒状カバー部１０Ｂと取付部２０Ｂとが直接連結される構成であるので、穂先Ｈ側が外部から衝撃を受けた際に、竿杆１０１（図２参照）への衝撃がかかり難い。
【００５３】
なお、図６（ｂ）に示す釣竿の保護カバー１Ｂ’のように、筒状カバー部１０Ｂと取付部２０Ｂ’との間に、筒状部材としての連結部材３５を介在させて、連結手段３０Ｂ’を構成してもよい。
連結部材３５の内面３５ａには、突縁部３３が着脱可能に係合される円環状の溝３４’が複数形成されており、また、連結部材３５の後端部には、円環状の突縁部３３’が形成されている。これによって、筒状カバー部１０Ｂの突縁部３３を連結部材３５の円環状の溝３４’に係合し、連結部材３５の突縁部３３’を取付部２０Ｂ’（本体２４ｂ’）の円環状の溝３４に係合することができ、筒状カバー部１０Ｂを連結部材３５（連結手段３０Ｂ’）を介して取付部２０Ｂ’に連結することができる。
また、連結部材３５を複数介在させて筒状カバー部１０Ｂと取付部２０Ｂ’とを連結してもよい。また、長さの異なる連結部材３５を複数介在させてもよい。
【００５４】
このように、筒状カバー部１０Ｂと取付部２０Ｂ’との間に単数または複数の連結部材３５を介設することで、長さ調節のバリエーションが増え、保護カバー１Ｂ’の長さを容易に調節することができる。また、装着可能な釣竿の種類もより一層増えることとなり、共通性が高まるという利点も得られる。
【００５５】
（第４実施形態）
第４実施形態の釣竿の保護カバー１Ｃは、図５（ａ）（ｂ）に示すように、筒状カバー部１０Ｃと取付部２０Ｃとが連結手段３０Ｃを介して一体的に形成されている点が異なる。
【００５６】
筒状カバー部１０Ｃと取付部２０Ｃと連結手段３０Ｃは、すべて同一の材料、例えば、ゴム、合成ゴム、エラストマー、ポリウレタン等で一体的に形成してもよい。また、連結手段３０Ｃを、筒状カバー部１０Ｃおよび取付部２０Ｃと別の材料、例えば、連結手段３０Ｃをゴム、合成ゴム、エラストマー、ポリウレタン等で形成し、筒状カバー部１０Ｃおよび取付部２０Ｃをポリアミド、ポリカーボネート、ポリ塩化ビニル等で形成してもよい。また、筒状カバー部１０Ｃと取付部２０Ｃと連結手段３０Ｃとをそれぞれ異なる材料で構成してもよい。
【００５７】
連結手段３０Ｃは、複数の山部と谷部とからなる蛇腹状とされており、竿杆１０１の軸方向に伸縮可能に構成されている。
したがって、このような釣竿の保護カバー１Ｃは、図５（ａ）に示すように、連結手段３０Ｃを軸方向に縮めて、保護カバー１Ｃの長さが短くなるように（長さＬ１に）調節することができる。
また、図５（ｂ）に示すように、連結手段３０Ｃを軸方向に伸ばして、保護カバー１Ｃの長さが長くなるように（長さＬ２に）調節することができる。
【００５８】
本実施形態の釣竿の保護カバー１Ｃによれば、一体とされた連結手段３０Ｃを縮めたり伸ばしたりする操作を行うことで容易に長さを調節することができ、筒状カバー部１０Ｂと取付部２０Ｂとの間隔の調節（例えば、複数種類の釣竿Ｒ１、Ｒ２（図２参照）に合わせて長さＬ１、Ｌ２とする調節）が行い易いという利点が得られる。また、縮めたり伸ばしたりする操作で長さ調節が可能であるので、着脱が容易で扱い易いという利点も得られる。
また、保護カバー１Ｃの全長（筒状カバー部１０Ｃの先端から取付部２０Ｃの後端までの長さ）を短くすることができ、保護カバー１Ｃの小型化が可能である。
【００５９】
なお、前記各実施形態においては、取付部２０等の内面に合成ゴム等の滑り止め部材を配置して、元竿１００との装着性を高めるように構成してもよい。
このような滑り止め部材を配置することにより、よりガタつくことなく取付部２０等を元竿１００に取り付けることが可能となる。
【００６０】
また、前記した筒状カバー部材１０等は、有底円筒状のものを示したが、これに限られることはなく、有底楕円筒状、有底角筒状、有底多角筒状としてもよい。
【００６１】
また、前記第２、第３実施形態において、筒状カバー部１０Ａ（１０Ｂ）と取付部２０Ａ（２０Ｂ）とを、図示しない紛失防止用の線状の部材（紐等）で繋いだ構成としもよい。
【符号の説明】
【００６２】
１、１Ａ、１Ｂ、１Ｃ      釣竿の保護カバー
１０、１０Ａ、１０Ｂ、１０Ｃ    筒状カバー部
２０    取付バンド（取付部）
２０Ａ、２０Ｂ、２０Ｃ  取付部
２３    挿通孔
３０    弾性紐（連結手段）
３０Ａ、３０Ｂ、３０Ｃ  連結手段
３１    延設部
３２    係止部
３３    突縁部
３４    溝
３５    連結部材
１００  元竿
１０１  竿杆
Ｈ      穂先
Ｒ１、Ｒ２    釣竿
【図１】
2010233554.tif 000003
【図２】
2010233554.tif 000004
【図３】
2010233554.tif 000005
【図４】
2010233554.tif 000006
【図５】
2010233554.tif 000007
【図６】
2010233554.tif 000008
【図７】
2010233554.tif 000009